(57)【要約】      （修正有）【課題】既存の三味線等に装着することで、既存の三味線等の音量や音質を簡易に向上させることが可能な三味線等用補助具を提供する。【解決手段】三味線用補助具１００は、三味線の胴５３０の後端部の縁に装着されて使用されるものであって、糸持ち上げ部１１０と、位置ずれ防止部１２０とを備える。糸持ち上げ部１１０は、（天神部の糸巻きと根緒との間に張られた）３本の糸５５０と、胴５３０に張られた表皮５３１との間に配置されて、糸５５０を表皮５３１から離す方向へ押し上げる。位置ずれ防止部１２０は、三味線の胴５３０の後端面に当接して、糸持ち上げ部１１０が位置ずれするのを防ぐ。【選択図】図２
0003170953.tif 000002
【実用新案登録請求の範囲】
【請求項１】
三味線等の後端部の縁に装着されて使用される三味線等用補助具であって、
前記三味線等に張られた糸に当接して、当該糸を持ち上げるための糸持ち上げ部と、
前記糸持ち上げ部の位置ずれを防止するための位置ずれ防止部と
を備えることを特徴とする三味線等用補助具。
【請求項２】
前記位置ずれ防止部は、前記三味線等の後端面に当接する
ことを特徴とする請求項１に記載の三味線等用補助具。
【請求項３】
前記糸持ち上げ部は、前記三味線等で使用される駒の高さより低い高さを有する
ことを特徴とする請求項１又は２に記載の三味線等用補助具。
【請求項４】
前記駒の高さが１０〜１０．９ｍｍの場合、前記糸持ち上げ部の高さは、３ｍｍ以上である
ことを特徴とする請求項３に記載の三味線等用補助具。
【請求項５】
前記駒の高さが８．２〜８．５ｍｍの場合、前記糸持ち上げ部の高さは、２．４ｍｍ以上である
ことを特徴とする請求項３に記載の三味線等用補助具。
【請求項６】
前記糸持ち上げ部は、胴を構成する枠の上に配置される
ことを特徴とする請求項１〜５のいずれか一項に記載の三味線等用補助具。
【請求項７】
前記糸持ち上げ部の底面部の長さは、前記枠の上面の幅以下である
ことを特徴とする請求項６に記載の三味線等用補助具。
【考案の詳細な説明】
【技術分野】
【０００１】
本考案は、三味線等用の補助具に関し、特に、三味線等の音量や音質を向上させるために三味線等に装着されて使用される補助具に関する。
【背景技術】
【０００２】
図５は、従来の三味線の構成を説明するための図である。
【０００３】
同図に示すように、従来の三味線５００は、先端部に位置する天神５１０と、中間部に位置する棹５２０と、後端部に位置する胴５３０とから構成され、天神５１０に取り付けられた３つの糸巻き５１１と、胴５３０の後端部から突出する中子先（なかごさき）５２１に取り付けられた根緒５４０との間に、３本の糸（弦）５５０が張られるようになっている。そして、胴５３０の一方の面に張られた表皮５３１と、３本の糸５５０との間に駒５６０を配置した状態において、３本の糸５５０を撥（ばち）で弾くことで演奏がされる。駒５６０は、３本の糸５５０を、一定の高さに持ち上げると共に、３本の糸５５０の振動を胴５３０に張られた表皮５３１に伝えるためのものである。胴５３０は、４枚の丸みを帯びた板を組み合わせて構成される木枠の両面に一対の皮が張られた太鼓状の構造を有するものであって、表皮５３１の上に置かれた駒５６０を介して伝達される糸５５０の振動を共鳴させて、大きな音を出す働きをする。
【０００４】
ところで、通常の三味線５００においては、駒５６０は、胴５３０の表皮５３１上、後端部よりの位置に配置される。そのため、駒５６０によって持ち上げられた３本の糸５５０は、駒５６０から根緒５４０に向かって、斜め下方に（相対的に）急激な角度で下降するようになり（図３（ｂ）参照）、３本の糸５５０は、駒５６０に押し付けられるようになっていた。
【０００５】
なお、特開平２−２９６９８号公報には、音質・音量の良い音を奏でることを可能とするため、三味線の棹部分に、中空または中空でない棒状部材または板状部材を埋設または装着した構成が開示されている。
【先行技術文献】
【特許文献】
【０００６】
【特許文献１】特開平２−２９６９８号公報
【考案の概要】
【考案が解決しようとする課題】
【０００７】
本考案の目的は、既存の三味線等に装着することで、既存の三味線等の音量や音質を簡易に向上させることが可能な三味線等用補助具を提供することにある。
【課題を解決するための手段】
【０００８】
本考案に係る三味線等用補助具は、三味線等の後端部の縁に装着されて使用される三味線等用補助具であって、前記三味線等に張られた糸に当接して、当該糸を持ち上げるための糸持ち上げ部と、前記糸持ち上げ部の位置ずれを防ぐための位置ずれ防止部とを備えることを特徴とする。
【０００９】
この場合において、前記位置ずれ防止部は、前記三味線等の後端面に当接するようにしてもよい。また、前記糸持ち上げ部は、前記三味線等で使用される駒の高さより低い高さを有するようにしてもよい。更に、前記駒の高さが１０〜１０．９ｍｍの場合、前記糸持ち上げ部の高さは、３ｍｍ以上であるようにしてもよい。また、前記駒の高さが８．２〜８．５ｍｍの場合、前記糸持ち上げ部の高さは、２．４ｍｍ以上であるようにしてもよい。
【００１０】
また、以上の場合において、前記糸持ち上げ部は、胴を構成する枠の上に配置されるようにしてもよい。この場合、前記糸持ち上げ部の底面部の長さは、前記枠の上面の幅以下であるようにしてもよい。
【考案の効果】
【００１１】
本考案によれば、既存の三味線等に装着することで、既存の三味線等の音量や音質を簡易に向上させることが可能な三味線等用補助具を提供することができる。
【図面の簡単な説明】
【００１２】
【図１】本考案による三味線用補助具（さわり駒）の構成を説明するための図である。
【図２】さわり駒１００を、三味線５００に装着した状態を示す斜視図である。
【図３】さわり駒１００の効果を説明するための図である。
【図４】本考案による三味線用補助具の別の実施形態の構成を説明するための図である。
【図５】従来の三味線の構成を説明するための図である。
【考案を実施するための形態】
【００１３】
以下、本考案の実施の形態について、図面を参照しつつ詳細に説明する。
【００１４】
以下では、三味線に装着して使用される三味線用補助具について説明する。当該三味線用補助具は、三味線の胴の後端部の縁に装着されて使用されるものであって、三味線の音量・音質の向上を図るためのものである。
【００１５】
図１は、本考案による三味線用補助具の構成を説明するための図であり、同図（ａ）は、正面図を示し、同図（ｂ）は、斜め下から見た斜視図を示し、同図（ｃ）は、斜め上から見た斜視図を示す。
【００１６】
同図に示すように、本考案による三味線用補助具（以下、「さわり駒」という）１００は、糸持ち上げ部１１０と、位置ずれ防止部１２０とを備える。さわり駒１００は、所望の仕様に応じて適当な材料（例えば、合成樹脂、象牙、木等）で構成される。
【００１７】
糸持ち上げ部１１０は、カマボコ状の形状を有し、（天神の糸巻きと根緒との間に張られた）３本の糸と、胴（表皮）との間に配置されて、３本の糸を胴（表皮）から離す方向へ押し上げるためのものである。
【００１８】
位置ずれ防止部１２０は、やや丸みを帯びたやや先細の板状の形状を有し、糸持ち上げ部１１０の底面の一端に連結されており、三味線（胴）の後端面に当接して、糸持ち上げ部１１０が位置ずれするのを防ぐためのものである。
【００１９】
図２は、以上のような構成を有するさわり駒１００を、三味線に装着した状態を示す斜視図である。
【００２０】
同図に示すように、さわり駒１００は、三味線５００（胴５３０）の後端部の縁に装着されて使用される。すなわち、糸持ち上げ部１１０が、胴５３０の表皮面側に配置されると共に、位置ずれ防止部１２０が、三味線５００（胴５３０）の後端面側に配置される。
【００２１】
さわり駒１００を三味線５００に装着する際は、まず、３本の糸５５０をゆるめた状態で、図２に示すように、さわり駒１００をセットする。そして、糸巻き５１１を操作して、３本の糸５５０を適当な強さで張るようにすると、３本の糸５５０が糸持ち上げ部１１０に当接して、糸持ち上げ部１１０が、表皮５３１を介して、胴５３０の後端部を構成する木枠上面に押し付けられると共に、根緒５４０（の先端部分）が位置ずれ防止部１２０に当接して、位置ずれ防止部１２０が、胴５３０の後端部を構成する木枠後端面に押し付けられ、さわり駒１００が三味線５００に固定される。
【００２２】
同図に示した状態においては、３本の糸５５０の下に位置する糸持ち上げ部１１０によって、３本の糸５５０が持ち上げられることになる。その結果、駒５６０から根緒５４０に向かう糸５５０が、従来の三味線の場合のように、斜め下方に急激な角度で下降せず、従来の三味線の場合に比べて、緩やかな角度で斜め下方に下降するようになる。
【００２３】
図３は、さわり駒１００の効果を説明するための図である。同図（ａ）は、さわり駒１００を、三味線５００に装着した状態における糸５５０の状態を示す図であり、同図（ｂ）は、従来の三味線５００における糸５５０の状態を示す図である。なお、同図では、簡単のため、根緒は省略してある。
【００２４】
同図（ｂ）に示すように、従来の三味線５００においては、駒５６０によって持ち上げられた３本の糸５５０は、駒５６０から根緒（胴５３０の後端部）に向かって、斜め下方に急激な角度で下降するようになり、その結果、３本の糸５５０は、駒５６０に押し付けられるようになっていた。すなわち、表皮５３１上に置かれた駒５６０は、３本の糸５５０によって、表皮５３１に押し付けられることになる。一方、同図（ａ）に示すように、さわり駒１００を装着した状態においては、駒５６０によって持ち上げられた３本の糸５５０は、駒５６０から根緒（胴５３０の後端部）に向かって、相対的に緩やかな角度で下降するようになり、３本の糸５５０によって駒５６０が押される力も、従来の場合に比べて小さくなる。すなわち、駒５６０を表皮５３１に押し付ける力が小さくなる。その結果、従来の場合に比べて、表皮５３１が振動しやすくなることになり、同じ力で糸５５０を弾いたとしても、従来より、大きな音量得られることになる。また、胴５３０から棹５２０に伝わる振動も大きくなって、全体としての音質も向上することになる。
【００２５】
なお、同図（ａ）に示すように、さわり駒１００を、三味線５００に装着した状態においては、糸持ち上げ部１１０は、表皮５３１の振動を妨げないよう、胴５３０の後端部を構成する木枠５３２上に配置されるようになっている。すなわち、糸持ち上げ部１１０の底面部の長さＬは、一般的な木枠の上面の幅Ｗに併せて、糸持ち上げ部１１０の先端が、木枠５３２から（同図における右方向に）はみ出さないように（すなわち、Ｌ≦Ｗになるよう）適当な値に設定される。
【００２６】
一方、糸持ち上げ部１１０の高さＨは、音量・音質を向上させるのに充分な高さを有する共に、胴５３０の表皮５３１上に置かれる駒５６０より低くなるように設定される。糸持ち上げ部１１０の高さＨをあまり低くすると、充分な音量・音質の向上を得ることができず、また、糸持ち上げ部１１０の高さＨを、胴５３０の表皮５３１上に置かれる駒５６０より高くすると、演奏中等に駒５６０の位置がずれやすくなってしまう。
【００２７】
具体的には、長唄三味線や民謡三味線等のように比較的高さの高い駒（例えば、高さ１０〜１０．９ｍｍ程度の駒）を使用する場合は、糸持ち上げ部１１０の高さＨは、３ｍｍ以上、１０ｍｍ未満に設定すればよい。
【００２８】
また、地唄三味線や津軽三味線等のように比較的高さの低い駒（例えば、高さ８．２〜８．５ｍｍ程度の駒）を使用する場合は、糸持ち上げ部１１０の高さＨは、２．４ｍｍ以上、８．２ｍｍ未満に設定すればよい。
【００２９】
上述した条件において、さわり駒１００を装着した状態の三味線と、さわり駒１００を装着しない状態の三味線を実際に弾いてみて、両者の音を聞き比べてみたところ、さわり駒１００を装着することで、明らかに音量・音質が向上することが確認できた。
【００３０】
次に、本考案による三味線用補助具の別の実施形態について説明する。
【００３１】
図４は、本考案による三味線用補助具の別の実施形態の構成を説明するための図である。同図（ａ）は、正面図を示し、同図（ｂ）は、斜め下から見た斜視図を示し、同図（ｃ）は、斜め上から見た斜視図を示す。
【００３２】
同図に示すように、本考案によるさわり駒４００は、前述したさわり駒１００と同様に、糸持ち上げ部４１０と、位置ずれ防止部４２０とを備える。糸持ち上げ部４１０及び位置ずれ防止部４２０はそれぞれ、前述した糸持ち上げ部１１０及び位置ずれ防止部１２０と同様の機能を有するものである。
【００３３】
さわり駒４００とさわり駒１００との違いは、さわり駒４００においては、糸持ち上げ部４１０の底面側に、空洞（凹部）４１１が形成されていることであり、さわり駒４００についても、さわり駒１００と同様の効果を得ることができる。
【００３４】
以上のような構成を有する三味線用補助具１００，４００を使用することにより、既存の三味線の音量・音質を簡単に向上させることが可能となる。
【００３５】
また、以上のような構成を有する三味線用補助具１００，４００を使用することにより、駒５６０より後端側に配置される糸５５０が根緒５４０に向かって降下する角度が小さくなることから、駒５６０との接触部分において糸５５０にかかる負担も小さくなり、駒５６０と接触する部分において糸５５０が切れること（駒切れ）が発生する頻度も減少させることできる。
【００３６】
以上、本考案の実施形態について説明してきたが、当然のことながら、本考案の実施形態は上記のものに限られない。例えば、上述した実施形態においては、三味線に本考案を適用しているが、三味線と同様の構造を有する他の弦楽器（例えば、三線や胡弓）に本考案を適用することもできる。
【符号の説明】
【００３７】
１００    さわり駒
１１０    糸持ち上げ部
１２０    位置ずれ防止部
４００    さわり駒
４１０    糸持ち上げ部
４１１    空洞（凹部）
４２０    位置ずれ防止部
５００    三味線
５１０    天神
５１１    糸巻き
５２０    棹
５２１    中子先
５３０    胴
５３１    表皮
５４０    根緒
５５０    糸
５６０    駒
【図１】
0003170953.tif 000003
【図２】
0003170953.tif 000004
【図３】
0003170953.tif 000005
【図４】
0003170953.tif 000006
【図５】
0003170953.tif 000007